(57)【要約】【課題】緊急時の操作が容易な携帯用防犯装置を提供する。【解決手段】携帯用電話端末に着脱可能に取付け可能な携帯用防犯装置である。該携帯用防犯装置２０は、携帯用電話端末１０に設けられた外部接続コネクタが設けられている接続端子口方向から着脱可能に取り付けられる。携帯用防犯装置２０は、電源回路と、その投入により警報を発する警報発生部からなる防犯機構と、前記防犯機構と外部接続コネクタとの間に介在する開閉機構を備える。前記携帯用防犯装置２０が接続端子口方向から前記携帯用電話端末１０に取り付けられることにより前記外部接続コネクタが前記開閉機構を開放し、当該携帯用防犯装置２０を取り外すことにより前記開閉機構が閉じられて前記電源回路と警報発生部とが接続されて警報を発する。【選択図】　図１
2004077648.tif 000002
【特許請求の範囲】
【請求項１】
携帯用電話端末に着脱可能に取付け可能な携帯用防犯装置であって、携帯用電話端末の外部接続コネクタが設けられている接続端子口方向から着脱可能に取り付けられ、電源回路と、その投入により警報を発する警報発生部からなる防犯機構と、前記防犯機構と外部接続コネクタとの間に介在する開閉機構を備え、該開閉機構には、前記電源回路と警報発生部とを接続する接点が形成されると共に、該接点間には、それを開放する移動可能な保持具が備えられていることを特徴とする携帯用防犯装置。
【請求項２】
携帯用電話端末の外部接続コネクタが設けられている接続端子口方向から着脱可能に取り付けられ、電源回路と、その投入により警報を発する警報発生部からなる防犯機構と、前記防犯機構と外部接続コネクタとの間に介在する開閉機構を備え、該開閉機構には、前記電源回路と警報発生部とを接続する接点が形成されると共に、該接点間には、それを開放する移動可能な保持具が備えられている携帯用防犯装置において、
前記保持具は前記接点間に移動されて前記開閉機構の接点が開放されている状態で、前記携帯用防犯装置を接続端子口方向から前記携帯用電話端末に取り付け、前記携帯用電話端末に設けられた前記外部接続コネクタを前記開閉機構の接点間に挿入して、当該外部接続コネクタにより前記接点間から前記保持具を移動して前記開閉機構の接点の開放を維持し、
非常時に前記接続端子口から当該携帯用防犯装置を取り外すことにより前記開閉機構の接点間に挿入された前記外部接続コネクタが取り除かれて開閉機構の接点が閉じられ、前記電源回路と警報発生部とを接続して前記携帯用防犯装置により警報を発することを特徴とする携帯用防犯装置の使用方法。
【発明の詳細な説明】
【０００１】
【発明の属する技術分野】
本発明は、痴漢や暴漢等に襲われたりしたときに警報を発し緊急事態を報知する携帯用防犯装置に関し、特に、携帯電話（携帯電話端末や移動電話端末）に着脱可能な、警報を発する防犯機能を付加した携帯用防犯装置に関する。
【０００２】
【従来の技術】
従来、この種の携帯用防犯装置としては、防犯ベル、携帯用防犯ブザーが知られている。これは警報発信部、スピーカー及び電池等を収用したケースに、引抜き式のスイッチを設けたもので、緊急事態時にスイッチをオンすると、警報音を発するようになっている。一人歩きする場合等に携帯して、痴漢や暴漢等に襲われたりした場合にスイッチを操作して警報音で緊急事態を報知することができる。この警報音が、周囲への救助信号となるとともに、犯人に逃亡を促すから、大きな被害から未然に防止されることとなる。一方、携帯用防犯装置は、常時携帯しなければならないが、従来の携帯用防犯装置は、防犯ベルや防犯ブザーとして知られる通りその機能しか有しない単体であり、めったにない緊急事態にしか使用せず、普段は使用しないので、ポケットや鞄等の中で邪魔になったり、ほとんど使用しないこともあって、携帯することが少なく、また、携帯を忘れることも多い。
【０００３】
前記問題点を解決する手段として、例えば特開２００１−１０９９７６公報に開示されている携帯用防犯装置があり、常時携帯することを向上させるため、携帯用電話端末に情報音を発する防犯機能を付加し、普段は携帯電話として使用し、緊急事態時に警報音を発する防犯装置として使用できる携帯用防犯装置である。
【０００４】
前記携帯用防犯装置は、スイッチ及びそのスイッチの操作により警報音を発する警報発音部とを備える防犯機構を、携帯用電話端末に内蔵又は着脱可能に取付けた携帯用防犯装置である。そして前記スイッチの操作により警報音を発すると共に、携帯用電話端末の予め設定した緊急連絡先のメモリーダイヤルを呼出し異常発生を通報する。該通報のために、前記防犯機構に携帯電話起動回路を備え、携帯用電話端末に内蔵又は着脱可能に取付けた携帯用防犯装置である。
【０００５】
【発明が解決しようとする課題】
しかし、かかる携帯用防犯装置では、以下のような問題点があった。即ち、スイッチの操作により警報音を発するものであり、そのスイッチが、防犯機構あるいは携帯電話本体に装着されている。すなわち、緊急時にスイッチをＯＮにする必要がある。しかし、前記スイッチのような比較的小さなものを緊急時に操作することは難しい。本発明は、かかる問題を解決して緊急時の操作が容易な携帯用防犯装置を提供することを目的としてなされたものである。
【０００６】
【課題を解決するための手段】
本発明は上記目的を達成するために請求項１記載の携帯用防犯装置は、携帯用電話端末に着脱可能に取付け可能な携帯用防犯装置であって、携帯用電話端末の外部接続コネクタが設けられている接続端子口方向から着脱可能に取り付けられ、電源回路と、その投入により警報を発する警報発生部からなる防犯機構と、前記防犯機構と外部接続コネクタとの間に介在する開閉機構を備え、該開閉機構には、前記電源回路と警報発生部とを接続する接点が形成されると共に、該接点間には、それを開放する移動可能な保持具が備えられていることを特徴とする。
【０００７】
請求項２記載の携帯用防犯装置の使用方法は、携帯用電話端末の外部接続コネクタが設けられている接続端子口方向から着脱可能に取り付けられ、電源回路と、その投入により警報を発する警報発生部からなる防犯機構と、前記防犯機構と外部接続コネクタとの間に介在する開閉機構を備え、該開閉機構には、前記電源回路と警報発生部とを接続する接点が形成されると共に、該接点間には、それを開放する移動可能な保持具が備えられている携帯用防犯装置において、前記保持具は前記接点間に移動されて前記開閉機構の接点が開放されている状態で、前記携帯用防犯装置を接続端子口方向から前記携帯用電話端末に取り付け、前記携帯用電話端末に設けられた前記外部接続コネクタを前記開閉機構の接点間に挿入して、当該外部接続コネクタにより前記接点間から前記保持具を移動して前記開閉機構の接点の開放を維持し、非常時に前記接続端子口から当該携帯用防犯装置を取り外すことにより前記開閉機構の接点間に挿入された前記外部接続コネクタが取り除かれて開閉機構の接点が閉じられ、前記電源回路と警報発生部とを接続して前記携帯用防犯装置により警報を発することを特徴とする。
【０００８】
【発明の実施の形態】
発明の理解を容易にするために、従来の携帯用電話端末１０について、図４を用いて説明する。図４（ａ）は前記従来の携帯用電話端末１０の外観図であって、図４（ｂ）は、図４（ａ）のＡ部拡大図である。図４（ａ）において、電話端末本体１の最上部には、送受信部のロッドアンテナ３が伸縮自在に設けられ、正面には、液晶表示部５、各種機能を実現させるための押しボタン群６、スピーカ７及びマイク８等が設けられている。図４（ｂ）において、本体１の下端には、携帯用電話端末１０に内蔵されている電池を充電するための充電端子２ａ、２ｂが設けられていて、該充電端子２ａ、２ｂの間には、外部機器との情報授受のための外部接続コネクタ９、及び前記外部機器へ電源を供給するソケット４が接続端子口１２の中に備えられている。
【０００９】
前記外部接続コネクタ９には複数の端子１１が設けられていて、該端子１１を介して携帯用電話端末１０と外部機器との間で情報授受を行なう。なお、図４においては外部接続コネクタ９は絶縁材料で形成され、その端子１１は外部接続コネクタ９内側にあるものとして図示してあるが、これ以外に図３に例示する、端子１１が外部接続コネクタ９の外側にあるものもある。又、ソケット４の代わりに、外部接続コネクタ９の端子１１の一部を使用しているものもある。外部機器を接続端子口１２に挿入して前記外部機器が有している図示していないコネクタと前記外部接続コネクタ９とを嵌合すると、それぞれの端子が接続される。
【００１０】
本発明の携帯用防犯装置は、前記外部機器と同様に、携帯用防犯装置を接続端子口１２に挿入して常時持ち歩くようにしたもので、常時使用される携帯用電話端末１０と一体化され、携帯を忘れることもなく、また携帯用電話端末１０は取り出し易いように所持しているので、緊急時にもすぐ使用できる。
【００１１】
図１は、本発明の実施形態の外観図である。携帯用電話端末１０の外部機器接続端子口１２に挿入して、携帯用防犯装置２０が着脱可能に取付けられている。携帯用電話端末１０は、周知の携帯用電話端末１０であって、図４と同一部分については同一符号を附し、説明を省略する。携帯用防犯装置２０は、本体２１に複数の貫通孔２２が設けられている。該貫通孔２２は、後述するようにして警報を発するときにその音が本体２１から外に出やすくすると共に、携帯用電話端末１０に携帯用防犯装置２０を着脱可能に取付けた時、前記マイク８に音声を入り易くする効果がある。
【００１２】
図２は、携帯用防犯装置２０と携帯用電話端末１０の外部機器接続端子口１２との断面図であって、図２（ａ）は携帯用電話端末１０と携帯用防犯装置２０とが分離した状態の図、図２（ｂ）は携帯用電話端末１０に携帯用防犯装置２０を着脱可能に取付けた時の図である。図２において、電源回路２６を具備し、該電源回路２６の投入により警報を発する、例えばマイクロプロセッサなどにより実現される警報発生部２７を備える防犯機構２９が本体２１内に収納されている。警報発生部２７にはスピーカ２８と、警報発生部２７の電源端子ｅと電源回路２６の一方の端が接続されている。該電源回路２６の他方の端は、接点Ｐ１を有する開閉機構２３ａが電源線イを介して接続されている。また、接点Ｐ２を有する開閉機構２３ｂが電源線ロを介して警報発生部２７の電源端子ｆに接続されている。
【００１３】
前記防犯機構２９には、図示していないプリント基板上に電源回路２６と警報発生部２７とが実装され、例えば弾性を有する導電性の金属で形成されている開閉機構２３ａと２３ｂが前記プリント基板などに所定の方法で固定されている。スピーカ２８は、本体２１の内側に、その音を複数の貫通孔２２から本体２１の外に出し易い位置に備えられている。前記スピーカ２８は、警報発生部２７が発生する、サイレン、その他の効果音などの警報音、あるいは叫び声などの音声を発し、該警報音又は音声は、電源回路２６により前記警報発生部２７に電源が供給されると、マイクロプロセッサが起動し、内蔵されているプログラム、データにより周知の方法で発せられる。
【００１４】
本体２１の内側には凸部２５ａ、２５ｂが形成されていて、携帯用防犯装置２０を携帯用電話端末１０の本体１の接続端子口（Ｙ）方向から嵌合させた時、携帯用電話端末１０の先端Ｈ１、Ｈ２が前記凸部２５ａ、２５ｂに突き当たり、携帯用防犯装置２０のそれ以上の嵌入を防ぐ作用をする。
【００１５】
図２（ａ）に示すように、開閉機構２３ａ、２３ｂのそれぞれの接点Ｐ１、Ｐ２はその部分が屈曲していて、該屈曲部には予め保持具２４が挟まれている。該保持具２４は、前記屈曲部から簡単に挿抜され、電気を通さない接点Ｐ１、Ｐ２を傷つけない比較的柔らかな材料で形成されている。かかる保持具２４は、携帯用防犯装置２０が携帯用電話端末１０に嵌合される以前に電源回路２６が消耗するのを防止する作用があり、携帯用防犯装置２０を出荷する時には所定の方法で接点Ｐ１、Ｐ２間に挿入される。
【００１６】
前記屈曲部は、携帯用防犯装置２０を携帯用電話端末１０の本体１の接続端子口（Ｙ）方向から嵌合させた時、携帯用電話端末１０の外部接続コネクタ９と対面する位置に定められている。図２（ｂ）は、かかる状態を説明する図であって、携帯用電話端末１０に携帯用防犯装置２０を着脱可能に取付けた時の図である。図２（ｂ）において携帯用電話端末１０と携帯用防犯装置２０との嵌合力は両者が嵌合されている部分の摩擦力のみとして図示してあるが、これ以外に、ネジ、その他周知の係合方法で固定しても良いが、何れの場合にも携帯用防犯装置２０を携帯用電話端末１０から引きぬくだけで離脱する構造であることが望ましい。又、図２（ｂ）において携帯用電話端末１０のスピーカ８は図示されていないが、スピーカ８近くには前記貫通孔２２が形成されていると共に、開閉機構２３ａ、２３ｂに外部接続コネクタ９が挿入され、携帯用電話端末１０に携帯用防犯装置２０が着脱可能に取付けられた時、スピーカ８が邪魔にならない構造である。
【００１７】
前記保持具２４を接点Ｐ１、Ｐ２間に挿入して携帯用防犯装置２０を携帯用電話端末１０の本体１の接続端子口（Ｙ）方向から嵌合させた時、外部接続コネクタ９の先端Ｈ３により保持具２４が開閉機構２３ａ、２３ｂの奥に押され接点Ｐ１、Ｐ２の間から抜け出て開閉機構２３ａ、２３ｂの間に留まる。しかし、接点Ｐ１、Ｐ２の間には外部接続コネクタ９が挿入される。該外部接続コネクタ９は絶縁材料で形成されていて、内部に複数の端子１１が設けられているので、その外側は絶縁されている。その結果接点Ｐ１、Ｐ２は導通せず、電源回路２６は開放されたままであり、警報発生部２７は動作しない。
【００１８】
前記図２（ｂ）の如く携帯用防犯装置２０が携帯用電話端末１０に取り付けられ、警報動作が以下のようになされる。前記図２（ｂ）に示すように、電源回路２６は開放されたままであり、警報発生部２７は動作しない。非常時に携帯用電話端末１０から携帯用防犯装置２０を引きぬくようにして取り外すと、接点Ｐ１、Ｐ２の間に挿入されている外部接続コネクタ９が抜き取られ、前記開閉機構２３ａ、２３ｂの接点Ｐ１、Ｐ２が閉じられて導通し、前記電源回路２６と警報発生部２７とが接続されて警報発生部２７が動作してスピーカ２８から警報が発せられる。
【００１９】
なお、保持具２４には図示していない、例えば紐が取り付けられていて、携帯用防犯装置２０が携帯用電話端末１０に取り付けられた時に、前記紐が例えば本体２１内側の凸部２５ａ、２５ｂと防犯機構２９との間に収納される。非常時に携帯用電話端末１０から携帯用防犯装置２０を引きぬいたあと、再度、該携帯用防犯装置２０を使用できるように、前記紐を引くと、前記保持具２４が再度、前記開閉機構２３ａ、２３ｂの接点Ｐ１、Ｐ２に形成されて屈曲部に挟まれる。又、前記紐の変わりに、保持具２４に孔を形成し、該孔に冶具をさしこみ前記保持具２４を前記開閉機構２３ａ、２３ｂの接点Ｐ１、Ｐ２に形成されて屈曲部に挟むようにしてもよい。
【００２０】
図３は、他の実施形態を示す図であって、複数の端子１１ａ、１１ｂが外部接続コネクタ９の両外側にある。即ち、図２の実施携帯における開閉機構２３ａ、２３ｂでは、その接点Ｐ１、Ｐ２と外部接続コネクタ９の複数の端子１１ａ、１１ｂとが導通してしまい、電源回路２６から携帯用電話端末１０に電源が供給されてしまう。その結果、携帯用電話端末１０が誤動作、故障などの不具合が生ずる場合がある。かかる不具合を回避するために、図３の実施形態では、開閉機構２３ａ、２３ｂが図２の実施携帯と、以下のように異なっている。図３は、携帯用防犯装置２０と携帯用電話端末１０の外部機器接続端子口１２部との断面図であって、図３（ａ）は携帯用電話端末１０と携帯用防犯装置２０とが分離した状態の図、図３（ｂ）は携帯用電話端末１０に携帯用防犯装置２０を着脱可能に取付けた時の図である。
【００２１】
以下、図２と同一部分には同一符号を附し、その説明を省略する。開閉機構２３ａ、２３ｂは、前記予め保持具２４が挟まれている屈曲部Ｑ１、Ｑ２と、接点Ｐ１、Ｐ２が形成されている屈曲部の２つの屈曲部を有している。前記屈曲部Ｑ１、Ｑ２は、絶縁体または、絶縁物が塗布され、前記外部接続コネクタ９の両外側にある複数の端子１１ａ、１１ｂと接触しても導通しない。又、非常時に携帯用電話端末１０から携帯用防犯装置２０を引きぬくようにして取り外され、Ｐ１、Ｐ２の間に挿入されている外部接続コネクタ９が抜き取られた時、開閉機構２３ａ、２３ｂの接点Ｐ１、Ｐ２が接触して導通するように、接点Ｐ１、Ｐ２が形成されている屈曲部は、前記保持具２４が挟まれる屈曲部Ｑ１、Ｑ２より内側に近接して凸である。又、コネクタ９がＰ１、Ｐ２の間に挿入されている間は、開閉機構２３ａ、２３ｂの接点Ｐ１、Ｐ２は接触しない。
【００２２】
前記保持具２４の先端と後端は傾斜して形成されている。その結果、前記外部接続コネクタ９に押されて屈曲部Ｑ１、Ｑ２から容易に内部に挿入されるように、また、非常時に携帯用電話端末１０から携帯用防犯装置２０を引きぬいたあと、再度、該携帯用防犯装置２０を使用できるように、前記保持具２４に設けられた紐を引いたとき、前記保持具２４が再度、前記屈曲部Ｑ１、Ｑ２に容易に挟まれる。
【００２３】
【発明の効果】
請求項１記載の携帯用防犯装置によれば、携帯用電話端末に着脱可能に取付け可能な携帯用防犯装置であって、携帯用電話端末の外部接続コネクタが設けられている接続端子口方向から着脱可能に取り付けられ、電源回路と、その投入により警報を発する警報発生部からなる防犯機構と、前記防犯機構と外部接続コネクタとの間に介在する開閉機構を備え、該開閉機構には、前記電源回路と警報発生部とを接続する接点が形成されると共に、該接点間には、それを開放する移動可能な保持具が備えられている。前記携帯用防犯装置が接続端子口方向から前記携帯用電話端末に取り付けられることにより前記外部接続コネクタが前記開閉機構に形成された接点から保持具を移動して接点を開放し、前記接続端子口から当該携帯用防犯装置を取り外すことにより前記開閉機構に形成された接点が閉じられて前記電源回路と警報発生部とが接続されて警報を発する。かかる携帯用防犯装置は、非常時にスイッチのような比較的小さなものを操作することがなく、携帯用電話端末から携帯用防犯装置を引きぬく動作だけで警報を発することができると共に、携帯用電話端末が取り出しやすい状態で所持されているので緊急時の用途に適している。更に、前記接点は、それを開放する保持具により開放され、該保持具は、携帯用防犯装置が携帯用電話端末に取り付けられたとき、前記携帯用電話端末に設けられた外部接続コネクタにより前記接点から移動され、前記外部接続コネクタにより前記接点が開放されることにより、使用時まで電源の消耗が抑えられと共に、保持具を屈曲部から簡単に挿抜可能にすることで携帯用防犯装置の再使用が可能である。
【００２４】
請求項２記載の携帯用防犯装置の使用方法によれば、携帯用防犯装置と携帯用電話端末とが簡単に挿抜でき、警報を発することができるので緊急時速やかに携帯用防犯装置を使用できる。
【図面の簡単な説明】
【図１】本発明の実施形態の外観図である。
【図２】携帯用防犯装置と携帯用電話端末の外部機器接続端子口との断面図であって、図２（ａ）は携帯用電話端末と携帯用防犯装置とが分離した状態の図、図２（ｂ）は携帯用電話端末に携帯用防犯装置を着脱可能に取付けた時の図である。
【図３】本発明の他の実施形態を示す図である。
【図４】前記従来の携帯用電話端末の外観図（図４（ａ））と、図４（ａ）のＡ部拡大図（図４（ｂ））である。
【符号の説明】
１　本体
７、２８　スピーカ
８　マイク
９　外部接続コネクタ
１０　携帯用電話端末
１１　端子
２０　携帯用防犯装置
２３ａ、２３ｂ　開閉機構
２４　保持具
２６　電源回路
２７　警報発生部
２９　防犯機構
【図１】
2004077648.tif 000003
【図２】
2004077648.tif 000004
【図３】
2004077648.tif 000005
【図４】
2004077648.tif 000006